(57)【要約】      （修正有）【課題】安全帯に取付けた掛止用フックを安全杆やロープに取付ける場合において、管理者が作業者の人数把握と共に、作業者が掛止用フックを安全杆等に掛けているか否かを判断する時に、着脱容易で繰り返し使用でき、確認も容易なものを提供する。【解決手段】安全帯のロープ又はワイヤーの取付部へ巻きつけ装着する確認マーカーであって、取付部へ装着できる本体１と、本体の上部に突設した本体取付用の留め片２と、本体の下側部に突設した下縁部締付用の締付片３とからなることを特徴とする確認マーカー。【選択図】図１
0003135949.tif 000002
【実用新案登録請求の範囲】
【請求項１】
安全帯のロープ又はワイヤーの取付部へ巻きつけ装着する確認マーカーであって、前記取付部へ装着できる本体と、該本体の上部に突設した本体取付用の留め片と、前記本体の下部に設けた取付部材とからなることを特徴とする確認マーカー。
【請求項２】
請求項１記載の本体は矩形状であって、該本体の一側部表面と他側部裏面とに相互に係脱用の面ファスナーを設け、留め片の自由端裏面と、前記本体の上部表面の所定位置とに相互に係脱用の面ファスナーを設け、取付部材は前記本体の下側部に突設した締付片とし、該締付片の自由端裏面と、前記本体の下部表面の所定位置とに、前記本体の装着時に本体下縁部を締付固定するための相互に係脱用の面ファスナーを設けたことを特徴とする確認マーカー。
【請求項３】
請求項１又は２記載の本体を蛍光素材とし、前記本体の表面に反射部材を取付けたことを特徴とする確認マーカー。
【請求項４】
請求項１又は２記載の本体は、数種の色変わりセットとしたことを特徴とする確認マーカー。
【考案の詳細な説明】
【技術分野】
【０００１】
本考案は、高所作業などのための安全帯のロープ又はワイヤーの取付部の点検表示に装着することを目的とした確認マーカーに関する。
【背景技術】
【０００２】
従来、高所作業などのための安全帯に取付けた掛止用フックを安全杆やロープに掛けていた。その際、該安全帯に所定の情報を表示するための安全帯表示具が知られていた。
【特許文献１】特開２００３−６２０９９号公報
【特許文献２】特開２００６−２８８８８６号公報
【考案の開示】
【考案が解決しようとする課題】
【０００３】
ところで、前記安全帯に取付けた掛止用フックを安全杆やロープに取付ける場合において、管理者が作業者の人数把握と共に、作業者が前記掛止用フックを安全杆等に掛けているか否かを判断する時は、前記掛止用フック部分に蛍光のテープを貼り付け、現場での容易な確認ができるようにしていた。しかし、建設会社により、この色が異なるため、建築会社が変わると、フックのテープを都度貼り替えなければならないという問題点があった。
【０００４】
また、荷揚げ用のワイヤーのロック部分の点検の際において、一部の現場では、毎月点検済みの色を指定し、点検終了後、前記ロック部分に、ビニールテープを巻きつけ、点検済みの確認をしていたが、毎月ビニールテープを剥がし、巻きつける作業をしなければならず、作業が煩雑となっていた。
【０００５】
また、テープよりなるＴ字状の安全帯表示具をロープ等への取付部へ装着する提案もあるが（特許文献２）、テープ状の為に、使用中に剥がれ易かったり、表示が見え難かったりする問題点があった。
【課題を解決するための手段】
【０００６】
本考案は、前記蛍光のテープ、ビニールテープ又はＴ字状のテープに替え、ロープ等の取付部に装着し着脱容易かつ安全確認のしやすい確認マーカーを使用することで、前記問題点を解決したのである。
【０００７】
即ち、本考案の確認マーカーは、前記取付部へ巻きつけ装着できる本体と、該本体の上部に突設した本体取付用の留め片と、前記本体の下部に設けた取付部材とからなることを特徴とする確認マーカーである。ここで、前記取付部材は、締付片、面ファスナー、ボタン又はフックその他を用いることができる。
【０００８】
また、本考案の他の確認マーカーは、前記確認マーカーの本体が矩形状であって、該本体の一側部表面と他側部裏面とに相互に係脱用の面ファスナーを設け、留め片の自由端裏面と、前記本体の上部表面の所定位置とに相互に係脱用の面ファスナーを設け、取付部材は前記本体の下側部に突設した締付片とし、該締付片の自由端裏面と、前記本体の下部表面の所定位置とに、前記本体の装着時に本体下縁部を締付固定するための相互に係脱用の面ファスナーを設けたことを特徴とする確認マーカーである。
【０００９】
そして、本考案の他の確認マーカーは、前記各確認マーカーの本体を蛍光素材とし、前記本体の表面に反射部材を取付けたことを特徴とする確認マーカーである。
【００１０】
また、他の考案は、確認マーカーを数種の色変りセットとしたものである。
【考案の効果】
【００１１】
本考案の確認マーカーによれば、安全帯に取付けた掛止用フックを安全杆やロープに取付ける場合において、遠方からの認識が容易であり、かつ、着脱容易で繰り返し使用ができ、管理者が作業者の人数把握と共に、作業者が前記掛止用フックを安全杆等に掛けているか否かの判断が容易となる効果がある。また、確認マーカーを確認することで、点検が行われたことを知ることができる。次に、荷揚げ用のワイヤーのロック部分の点検の際に、ビニールテープを剥がし、巻きつける煩雑な作業が不要となり、安全なワイヤーであるか、即座に確認できる効果がある。そして、本体下部に取付部材をつけたことで、本体を安全帯のロープ又はワイヤーにしっかりと締付固定することができ、意図せず外れにくい効果がある。
【００１２】
本考案の他の確認マーカーによれば、本体表面に反射部材を取付けたことで、遠方からの視認がより容易となる効果がある。
【００１３】
さらに、色変りセットを用いれば、色の変化により月別に点検の時期を知ることができる効果がある。
【考案を実施するための最良の形態】
【００１４】
本考案を実施するための最良の形態は、安全帯のロープ又はワイヤーの取付部へ装着できる矩形状の本体と、該本体の上部に突設した留め片と、本体の下側部に突設した締付片と、前記本体表面に取付けた反射部材とからなり、前記本体の一側部表面と他側部裏面とに着脱可能な面ファスナーを設け、留め片の自由端裏面と前記本体の上部表面の所定位置とに着脱可能な面ファスナーを設け、締付片の自由端裏面と前記本体の下部表面の所定位置とに、締付片を用いて前記本体を安全帯のロープ又はワイヤーに共同して締付固定するための着脱可能な面ファスナーを設けたことを特徴とする確認マーカーである。
【実施例１】
【００１５】
本考案の実施例を図１及び図２について説明すれば、まず、本確認マーカーは蛍光素材の布製とし、安全帯のロープ又はワイヤーの取付部へ巻きつけ装着するための矩形状の本体１と、該本体１の上部に突設した本体取付用の留め片２と、本体の下側部に突設した下縁部締付用の締付片３とからなる確認マーカーである。前記本体１は蛍光素材の布製としたが、原色などの目立つ色であれば、どのような素材でも良い。また、形状を矩形状にしたが、必ずしも矩形状でなくても、ロープ等の取付部へ巻きつけ固定できれば、形状にこだわらない。
【００１６】
前記留め片２の自由端の裏面には面ファスナー５ａを、前記締付片３の自由端の裏面には面ファスナー６ａを取付けた。また、前記本体１には、表面に、前記面ファスナー５ａを係着する面ファスナー５ｂ、前記面ファスナー６ａを係着する面ファスナー６ｂ、安全帯のロープ又はワイヤーの取付部に装着する際に用いる面ファスナー４ａ及び反射部材７を、裏面に、前記ファスナー４ａを取付ける面ファスナー４ｂを夫々設けた。ここで、前記面ファスナー４ａは、前記本体１の一側部全体に設け、前記面ファスナー４ｂは、その他側部全体に設けた。また、前記面ファスナー５ｂは、前記ファスナー４ａ、４ｂを相互に張付けた際に、前記留め片２を一端部とする直径の他端部となる位置に設け、前記面ファスナー６ｂは、前記本体１の下側部の締付片３の取付端側に設けた。そして、前記反射部材７は、図１（ａ）図示の通り、矩形状で２つ設けた。前記実施例においては、面ファスナーを用いたが、係脱ができれば例えばボタン、ホックその他の取付手段を用いても良い。また、前記反射部材は、使用時に視認しうる位置であれば、形状や大きさ、数量を問わない。
【００１７】
次に、本確認マーカーを使用する際には、図２図示の通り、本体１を安全帯のロープ９に巻きつけて装着し、締付片３と共同して本体１の下部をロープ９に巻き、締付固定する。また、留め片２は、フック８の連結リング部８ａに通して本体に取付ける。
【００１８】
前記実施例において、布製の本体に面ファスナーを用いたことで、安全帯のロープ９への着脱が容易で繰り返しの使用が可能な確認マーカーとなり、安全帯に取付けた掛止用フックを安全杆やロープに取付ける場合に、管理者が作業者の人数把握と共に、作業者が前記掛止用フックを安全杆等に掛けているか否かの判断が容易となった。また、締付片９をつけたことで、本体１の巻きつけ下縁部を安全帯のロープにしっかりと締付固定することができるので、意図に反して外れるおそれがない。そして、本体表面に反射部材を取付けたことで、遠くからでも視認しやすく、確認が容易となった。
【００１９】
また、図１の矩形状の本体１の色彩を、赤色、青色、黄色、緑色、等数種の色彩とし、赤色を１月と７月、青色を２月と８月、黄色を３月と９月、緑色を４月と１０月、紫色を５月と１１月、桃色を６月と１２月のようにすれば、装着の色により点検の月を即知し、再点検の必要性を把握することができる。
【図面の簡単な説明】
【００２０】
【図１】（ａ）本考案の実施例の表面の平面図、（ｂ）同じく（ａ）の裏面の平面図。
【図２】（ａ）同じく図１（ａ）の使用時の一部を省略した側面図、（ｂ）同じく一部を省略した（ａ）のＡＡ断面図。
【符号の説明】
【００２１】
１  本体
２  留め片
３  締付片
４ａ、４ｂ、５ａ、５ｂ、６ａ、６ｂ  面ファスナー
７  反射部材
８  フック
８ａ  連結リング部
９  ロープ
【図１】
0003135949.tif 000003
【図２】
0003135949.tif 000004